(57)【要約】【課題】裁断くずを少なくフレキシブルな面形成物を巻取り軸に固定する方法の提供、および、ロールブラインドを形成することである。【解決手段】パイプ状の巻取り軸（２、１０２、２０２、３０２、４０２、５０２）の周面に、巻取り軸の壁を貫通する少なくとも１つの切欠き（２０、２４、２２０、５２０、５２４）を形成し、該切欠き（２０、２４、２２０）の幅Ｂ＿Ｓが、フレキシブルな面形成物（３、１０３、２０３、３０３、５０３）の厚みより大きくし、フレキシブルな面形成物（３、１０２、２０３、３０３）に切込みにより、折り曲げ可能なフラップ（３０、１３０、３３０）が形成し、かつ、フラップを巻取り軸（２、１０２、２０２、３０２、４０２）の切欠き（２０、２４、２２０）へ導入する。【選択図】図１ａ
2008215067.tif 000002
【特許請求の範囲】
【請求項１】
パイプ状の巻取り軸（２、１０２、２０２、３０２、４０２、５０２、６０２、７０２）にフレキシブルな面形成物（３、１０３、２０３、３０３、６０３、７０３）を固定する方法であって、
１）パイプ状の巻取り軸（２、１０２、２０２、３０２、４０２、５０２、６０２、７０２）の周面に、巻取り軸の壁を貫通する少なくとも１つの切欠き（２０、２４、２２０、５２０、５２４、６２４、７２４）を形成し、該切欠き（２０、２４、２２０、５２０、５２４、６２４、７２４）の幅Ｂ＿Ｓを、フレキシブルな面形成物（３、１０３、２０３、３０３、５０３、６０３、７０３）の厚みより大きくなるようにするステップと；
２）フレキシブルな面形成物（３、１０３、２０３、３０３、５０３、６０３、７０３）に、少なくとも１つの折り曲げることのできるフラップ（３０、１３０、３３０、５３０、５３４、６３０、７３０）を形成するステップと、
３）前記フラップを、巻取り軸（２、１０２、２０２、３０２、４０２、５０２、６０２、７０２）の切欠き（２０、２４、２２０、５２０、５２４、６２４、７２４）へ導入するステップと；
を含むことを特徴とする方法。
【請求項２】
前記フレキシブルな面形成物が、巻取り軸（２、１０２、６０２、７０２）の端部（２１、２２、６２１、７２１）へ挿入すべきブッシュ、特に軸受ブッシュ（６０４、７０４）によって巻取り軸（２、１０２、６０２、７０２）に固定される、
ことを特徴とする請求項１に記載の方法。
【請求項３】
折り曲げることのできるフラップ（３０、１３０、３３０、５３０、５３４、６３０、７３０）が、フレキシブルな面形成物（３、１０３、２０３、３０３、５０３）の切込みによって、および／または側方の端縁（３３、６３３、７３３）および／または終端エッジ（３４）の変形によって形成される、
ことを特徴とする請求項１または２に記載の方法。
【請求項４】
前記切欠きが、パイプ状の巻取り軸（２、１０２）の周面より小さいアーチ長さ（Ｌ＿Ｓ）を有する周方向のスリット（２０）として形成され、かつ、
フレキシブルな面形成物（３、１０３）に、フレキシブルな面形成物（３、１０３）の横方向（Ｑ）の少なくとも１つの切込み（３１）によって、前記アーチ長さ（Ｌ＿Ｓ）とほぼ等しい長さ（Ｌ＿Ｌ）を有する、前記スリット（２０）に対応する少なくとも１つのフラップ（３０、１３０）が形成される、
ことを特徴とする請求項３に記載の方法。
【請求項５】
フレキシブルな面形成物（１０３）に少なくとも１つのフラップ（１３０）が、横方向（Ｑ）の第１の切欠き（３１）と前記第１の切欠き（３１）と交差する、フレキシブルな面形成物（１０３）の長手方向（Ｌ）の第２の切欠き（１３１）とによって形成される、ことを特徴とする請求項３または４のいずれか１項に記載の方法。
【請求項６】
前記切欠きが、巻取り軸の端部（２１、２２）へ向かって開放した切欠き（２４、６２４、７２４）として形成される、ことを特徴とする請求項１から５のいずれか１項に記載の方法。
【請求項７】
前記切欠きが、実質的にＵ字状および／またはＶ字状の切欠き（５２０、５２４）として形成される、ことを特徴とする請求項１から６のいずれか１項に記載の方法。
【請求項８】
少なくとも１つの切欠きが、巻取り軸（２０２、３０２、４０２）の少なくとも１つの端部（２１、２２）における巻取り軸（２０２、３０２、４０２）の軸方向のスリット（２２０）として形成され、かつ前記スリット（２２０）に対応するフラップ（２３０、３３０）が、フレキシブルな面形成物に、フレキシブルな面形成物（２０３、３０３）の長手方向（Ｌ）の少なくとも１つの切込み（３６）によって形成される、
ことを特徴とする請求項１から７のいずれか１項に記載の方法。
【請求項９】
前記ブッシュ（７０４）が、係止突片（７４０）を有しており、前記係止突片は、ブッシュ（７０４）を巻取り軸（７０２）内へ挿入する場合に、切欠き（７２４）内へ導入されたフラップ（７３０）の上へ挿入される、
ことを特徴とする請求項１から９のいずれか１項に記載の方法。
【請求項１０】
パイプ状の巻取り軸（２、１０２、２０２、３０２、４０２、５０２、６０２、７０２）と、その巻取り軸に巻き取り可能かつ引き出し可能に固定された面形成物（３、１０３、２０３、３０３、５０３、６０３、７０３）とを有する、特に自動車内に取り付けるための、ロールブラインドにおいて、
前記巻き取り軸（２、１０２、２０２、３０２、４０２、５０２、６０２、７０２）が、幅（Ｂ＿Ｓ）を有する少なくとも１つの切欠き（２０、２４、２２０、５２０、５２４、６２４、７２４）を有しており、前記幅（Ｂ＿Ｓ）がフレキシブルな面形成物（３、１０３、２０３、３０３、６０３、７０３）の厚みより大きくされていて、かつ、
フレキシブルな面形成物（３、１０３、２０３、３０３、５０３、６０３、７０３）が少なくとも１つの折り曲げ可能なフラップを有しており、前記フラップが、フレキシブルな面形成物（３、１０３、２０３、３０３、５０３、６０３、７０３）を巻取り軸（２、１０２、２０２、３０２、４０２、５０２、６０２、７０２）と結合するために、巻取り軸（２、１０２、２０２、３０２、４０２、５０２、６０２、７０２）の切欠き（２０、２４、２２０、５２０、５２４、６２４、７２４）内へ導入される、
ことを特徴とするロールブラインド。
【請求項１１】
前記フレキシブルな面形成物が、巻取り軸（２、１０２、６０２、７０２）の端部（２１、２２、６２１、７２１）内へ挿入すべきブッシュ、特に軸受ブッシュ（６０４、７０４）によって巻取り軸（２、１０２、６０２、７０２）に固定されている、
ことを特徴とする請求項１０に記載のロールブラインド。
【請求項１２】
少なくとも１つの切欠きが、パイプ状の巻取り軸（２、１０２）の周面より小さいアーチ長さ（Ｌ＿Ｓ）を有する周方向のスリット（２０）として形成されており、かつ、
フレキシブルな面形成物（３、１０３）に前記スリット（２０）に対応する、最大でアーチ長さ（Ｌ＿Ｓ）と等しい、幅（Ｂ＿Ｌ）を有する少なくとも１つのフラップ（３０、１３０）が、フレキシブルな面形成物（３、１０３）の横方向（Ｑ）の少なくとも１つの切込み（３１）によって形成されている、
ことを特徴とする請求項１０または１１に記載のロールブラインド。
【請求項１３】
前記少なくとも１つのスリット（２０）が、巻取り軸（２、１０２）の端部（２１、２２）から周方向に間隔（Ａ＿Ｓ）で形成されており、かつ、
フラップ（３０）の幅（Ｂ＿Ｌ）が、巻取り軸（２、１０２）の端部（２１、２２）からのスリット（２０）の間隔（Ａ＿Ｓ）にほぼ等しい、
ことを特徴とする請求項１２に記載のロールブラインド。
【請求項１４】
前記切欠きが、巻取り軸の端部（２１、２２、６２１、７２１）へ向かって開放した切欠き（２４、６２４、７２４）として形成されている、ことを特徴とする請求項１２に記載のロールブラインド。
【請求項１５】
前記切欠きが、実質的にＵ字状および／またはＶ字状の切欠き（５２０、５２４）として形成されている、ことを特徴とする請求項１２または１３に記載のロールブラインド。
【請求項１６】
少なくとも１つの切欠きが、巻取り軸（２０２、３０２、４０２）の端部（２１、２２）に軸方向のスリット（２２０）として形成されており、かつ、前記スリット（２２０）と対応するフラップ（２３０）がフレキシブルな面形成物（２０３、３０３）にフレキシブルな面形成物（２０３、３０３）の長手方向（Ｌ）の切込み（３６）によって形成されている、
ことを特徴とする請求項１０から１５のいずれか１項に記載のロールブラインド。
【請求項１７】
前記ブッシュ（７０４）が係止突片（７４０）を有しており、前記係止突片は、ブッシュ（７０４）を巻取り軸（７０２）内へ挿入する場合に、切欠き（７２４）内へ導入されたフラップ（７３０）の上へ挿入可能である、
ことを特徴とする請求項１０から１６のいずれか１項に記載のロールブラインド。
【発明の詳細な説明】
【技術分野】
【０００１】
本発明は、パイプ状の巻取り軸にフレキシブルな面形成物を固定する方法に関する。本発明は、さらに、巻取り軸とそれに固定された面形成物とを有するロールブラインドに関する。
【背景技術】
【０００２】
ロールブラインドは、自動車および／または他の使用分野において多様なやり方で使用される。たとえば、ロールブラインドは、車両内で荷物を固定するため、視線を遮るため、太陽光を遮るためなどに使用される。ロールブラインドは、原則的に、パイプ状の巻取り軸を有しており、その上にフレキシブルな面形成物、たとえば防水シートまたはネットが巻き上げ可能かつ引き出し可能に固定されている。
【０００３】
ロールブラインドを形成するために、通常、まず所望の材料から所望の大きさでフレキシブルな面形成物または帯状ロールブラインドがカットされる。帯状ロールブラインドのカットは、従来は、帯状ロールブラインドの、巻取り軸に固定される後方の端部に、帯状ロールブラインドの幅を定める側方の端縁を越えて張り出す、側方のフラップが残るように、行われる。このフラップによって、たとえばＴ字状の帯状ロールブラインドが形成される。帯状ロールブラインドを巻取り軸に固定するために、帯状ロールブラインドの端部が巻取り軸と接着され、その場合に端縁を越えて側方へ張り出すフラップが折り返されて、巻取り軸内へその端部から導入される。フラップを巻取り軸の内部へ導入することによって、良好かつ確実な固定が可能である。しかし、この種のフラップを形成するために、まず材料を、帯状ロールブラインドの幅プラス両側のフラップの幅に相当する幅で準備しなければならない。フラップを別にして、他のステップにおいて帯状ロールブラインドの側方の端縁において余分な材料が除去される。従ってこの種のロールブラインドを形成する場合に、面形成物の材料に多くの裁断くずが生じる。
【発明の開示】
【発明が解決しようとする課題】
【０００４】
本発明は、裁断くずが減少される、フレキシブルな面形成物を巻取り軸に固定する方法を提供することである。本発明の他の課題は、該当するロールブラインドを形成することである。
【課題を解決するための手段】
【０００５】
この課題は、次のステップを有する：すなわち、パイプ状の巻取り軸の周面に、巻取り軸の壁を貫通する少なくとも１つの切欠きを形成し、その場合に切欠きの幅Ｂ＿Ｓがフレキシブルな面形成物の厚みより大きく；フレキシブルな面形成物に折り曲げ可能なフラップを形成し、かつ折り曲げられたフラップを巻取り軸に設けられた少なくとも１つの切欠き内へ挿入する；フレキシブルな面形成物、特に防水シートを、パイプ状、特に中空円筒状の巻取り軸に固定する方法によって、解決される。フレキシブルな面形成物は、通常、巻取り方向とも称される、巻き取り可能かつ引き出し可能な長手方向と横方向とを有する、矩形である。その場合にフレキシブルな面形成物の幅、すなわち横方向の広がりは、通常、巻取り軸の、その軸方向における長さとほぼ等しく、その場合に巻取り軸は、取り扱いやすくするために、巻取り軸の軸方向にフレキシブルな面形成物を越えて突出することができる。本発明に基づいて切欠きを巻取り軸の周面に形成することによって、フラップを固定のために巻取り軸の端部とは異なる箇所で巻取り軸内へ導入することが可能である。面形成物は、好ましくはすでに、ロールブラインドの機能に適した通常の大きさに裁断されている。面形成物は、さらに巻取り軸と接着することができる。フラップを用いて取り付けることによって、付加的な接着がだめになり、かつ／または付加的な接着が設けられない場合でも、巻取り軸に対する房水シートの捻れおよび／またはずれを防止することができる。その場合にフラップは、フレキシブルな面形成物の角部に折曲によって形成することができる。
【０００６】
他の形態において、フレキシブルな面形成物は、巻取り軸の端部内へ挿入すべきブッシュ、特に軸受ブッシュによって、巻取り軸に固定される。その場合に、挿入されたブッシュは、巻取り軸内へ導入されたフラップを覆うので、フラップがブッシュによって巻取り軸の内壁に締め付け固定される。ブッシュは、ある実施形態においては軸受ブッシュであって、従って巻取り軸を軸承するためにも、フレキシブルな面形成物を巻取り軸に固定するためにも用いられる。しかし、軸受ブッシュの代わりに、係止ブッシュを使用することもでき、その場合にそれとは別に形成された部材が、軸を軸承するために用いられる。
【０００７】
他の形態において、フラップは、フレキシブルな面形成物に切込みを入れることにより、かつ／またはフレキシブルな面形成物の側方の端縁および／または終端エッジを変形することによって形成される。面形成物は、好ましくはすでに、ロールブラインドの機能に適合されたノーマルな大きさに裁断されている。本発明によれば、フラップを形成する場合に切込みないし折曲によって裁断くずは発生せず、あるいは最小限にしか発生しない。しかし、他の形態においては、フラップが長手方向および／または横方向に、ロールブラインドの機能に適合されたノーマルな大きさを超えて突出すると、効果的なこともあり得る。その場合に本発明に基づく固定によって同様に、裁断くずを少なくとも減少させることが可能である。
【０００８】
本方法の展開において、少なくとも１つの切欠きが、パイプ状の巻取り軸の周面より小さいアーチ長さを有する周方向のスリットとして形成されており、その場合にフレキシブルな面形成物にスリットと対応する、最大でアーチ長さに等しい長さを有するフラップが、フレキシブルな面形成物の横方向の切込みによって形成される。本発明の好ましい形態において、横方向の切込みは、フレキシブルな面形成物の側方の端縁に形成される。それによって１つの切込みで、固定のための任意の角度で折り曲げ可能なフラップを形成することができる。それに対して切込みが面形成物に側方の端縁から隔たって形成される場合には、フラップを折り曲げるために必要な、フレキシブルな面形成物の変形を他の切込みによって簡単にすることができる。
【０００９】
ある実施例において、巻取り軸の端部から距離をおいて周方向にスリットが形成され、その場合にフラップの幅は巻取り軸の端部からのスリットの間隔にほぼ等しい。その場合に、その幅が軸方向における巻取り軸の長さに相当する、フレキシブルな面形成物を裁断くずなしで巻取り軸に取り付けることが可能である。フラップの幅は、ある形態においては、それに応じた切込みによって、巻取り軸の端部からのスリットの間隔よりも大きく選択することもでき、その場合にフラップは幅全体にわたっては、巻取り軸のスリット内へ挿入されない。スリットは、好ましくは巻取り軸の端部から、巻取り軸の端部内へ挿入すべきブッシュの長さより小さい、特に長さの約４分の１から４分の３、好ましくは長さの約半分に相当する距離で、周方向に形成される。
【００１０】
本方法の展開において、フレキシブルな面形成物に少なくとも１つのフラップが、フレキシブルな面形成物の横方向の第１の切込みと、第１の切込みと交差する、長手方向の第２の切込みによって形成される。その場合に第２の切込みは、好ましくは、巻取り軸に固定すべき終端エッジから形成される。他の形態においては、Ｕ字状に配置された３つの切込みによって直角に折り曲げ可能なフラップを形成するために、第３の切込みが形成される。
【００１１】
本方法の展開において、切欠きは、巻取り軸の端部へ向かって開放した切欠きとして形成される。この種の切欠きは、フラップの特に簡単な導入を可能にする。その場合に切欠きのアーチ長さは、巻取り軸が切欠きによって弱くなり過ぎることがないように、選択される。
【００１２】
本発明の展開において、切欠きは、実質的にＵ字状および／またはＶ字状の切欠きとして形成される。面形成物に設けられる、対応するフラップは、１つまたは２つの切込みによって形成することができ、その場合にフラップは固定するためにＶ字状またはＵ字状の切欠きによって形成される突片の下に挟み込むことができる。
【００１３】
本方法の展開において、少なくとも１つの切欠きが巻取り軸の軸方向のスリットとして、巻取り軸の少なくとも１つの端部に形成され、その場合にスリットに対応するフラップがフレキシブルな面形成物に形成される。その場合にフラップは、ある形態においては、フレキシブルな面形成物の長手方向に少なくとも１つの切込みによって形成される。長手方向の切込みは、本発明の形態において、フレキシブルな面形成物の終端エッジで終了している。それによって、１つの切込みによって任意の角度で折り曲げることができるフラップが形成され、そのフラップは巻取り軸の対応して形成されたスリット内へ差し込むことができる。他の形態において、長手方向の切込みはエッジに対して間隔をもって形成され、その場合にたとえば、巻取り軸に設けられた対応する突片上に取り付けることができる、折り曲げ可能なフラップが形成される。
【００１４】
本方法の実施形態において、フレキシブルな面形成物は、巻取り軸と接着される。その場合に接着は、フラップにおいても、フラップの間の領域においても行うことができる。
【００１５】
本方法の展開において、ブッシュは係止突片を有しており、その係止突片が、ブッシュを巻取り軸内へ挿入する際に、切欠き内へ導入されたフラップの上へ挿入される。
【００１６】
課題は、さらに、パイプ状の巻取り軸とそれに巻き取り可能かつ引き出し可能に固定される面形成物とを有するロールブラインド、特に自動車内へ取り付けるためのロールブラインドによって解決され、その場合に面形成物は、フレキシブルな面形成物の厚みより大きい幅を有する、壁を貫通する少なくとも１つの切欠きを有しており、かつフレキシブルな面形成物は少なくとも１つの折り曲げ可能なフラップを有しており、そのフラップはフレキシブルな面形成物を巻取り軸と結合するために切欠きを介して巻取り軸の内部へ導入される。面形成物を巻取り軸内へ導入することによって、面形成物は巻取り軸の内部で巻取り軸と固定可能であり、たとえば巻取り軸と接着可能および／または、好ましくはブッシュによって、巻取り軸と締め付け固定することができる。
【００１７】
本発明の他の利点は、図面に図式的に示す、本発明の実施例についての以下の説明から明らかにされる。図面内で、同一または同様な構成部品には、統一的な参照符号が使用される。請求項、明細書または図面から明らかにされる特徴および／または利点は、構造的詳細、空間的配置および方法ステップを含めて、それ自体でも、種々の組合せにおいても、発明にとって本質的であり得る。
【００１８】
実施例の一部として記載され、あるいは図示される特徴は、本発明の他の実施形態を得るために、他の実施例においても同様に使用することができる。
【発明を実施するための最良の形態】
【００１９】
図１ａから１ｃは、本発明の第１の実施例を図式的に示している。その場合に図１ｃは、巻取り軸２とそれに固定されたフレキシブルな面形成物３、特に防水シートとを有するロールブラインド１を示している。図１ａは、巻取り軸２を斜視図で示しており、図１ｂは面形成物３を図式的に上面で示している。
【００２０】
特に図１ａにおいて明らかなように、巻取り軸２の周面に２つのスリット２０が形成されている。このスリット２０は、それぞれ周方向にアーチ長さＬ＿Ｓで延びている。スリット２０は、パイプ状の巻取り軸２の両方の端部２１、２２に、それぞれ付属の端部２１、２２に対して間隔Ａ＿Ｓで形成されている。端部２１、２２における巻取り軸２の端部が、図示のように規則的である場合に、間隔Ａ＿Ｓは一定である。図示されない、不規則な端部においては、間隔Ａ＿Ｓのための然るべき基準点が定められる。
【００２１】
図示の巻取り軸２は、さらに溝２３を有しており、巻取り軸２の端部２１、２２内へ挿入可能な、図示されていない軸受ブッシュが、その溝によってセンタリング可能である。
【００２２】
図１ｂに示すように、フレキシブルな面形成物３は、２つのフラップ３０を有している。フラップ３０を形成するために、フレキシブルな面形成物３の側方の端縁３３に横方向Ｑに切込み３１が形成される。フラップ３０は、それぞれ、図示のように長手方向Ｌに対して平行またはそれに対して角度をもって延びる折曲げライン３２を中心に、図面平面と一致する、面形成物３の平面に対して折り曲げることができる。折曲げライン３２を中心とするフラップの折曲げは、図１ｂに破線で示唆されている。
【００２３】
折り曲げられたフラップ３０は、−図１ｃに示すように−巻取り軸２のスリット２０内へ導入することができる。そのためにスリット２０の幅Ｂ＿Ｓは、面形成物３の、図１ｂの図面平面に対して垂直に延びる厚みよりも大きい。幅Ｂ＿Ｓは、フレキシブルな面形成物３の剛性と、それに伴って、スリット２０内へ導入するための変形可能性に適合させることができる。導入されたフラップ３０は、ある実施形態においては、巻取り軸２の内部で巻取り軸と接着し、かつ／または締め付け固定することができる。面形成物を締め付け固定するために、たとえば、図示されていない軸受ブッシュを使用することができ、その軸受ブッシュが巻取り軸２の端部２１、２２内へ挿入される。
【００２４】
図１ｂに示すフラップ３０を、巻取り軸２のスリット２０内へ挿入することができるようにするために、長手方向におけるフラップ３０の長さＬ＿Ｌは、最大でスリット２０のアーチ長さＬ＿Ｓに等しい。しかし、図示されていない他の形態においては、面形成物のフラップがその長手方向に終端エッジを越えて突出するので、Ｕ字状の端部が形成されることも、考えられる。しかし、この種の面形成物を形成する場合には、裁断くずが残る。
【００２５】
フラップ３０の幅Ｂ＿Ｌは、好ましくは、それぞれの端部２１、２２からのスリット２０の間隔Ａ＿Ｓに相当する。巻取り軸２上のフレキシブルな面形成物２の固定を改良するために、図示の実施例においては、巻取り軸２との接触領域３５において面形成物３の下側に接着剤が塗布されている。
【００２６】
第１の実施例の変形においては、破線で図式的に示唆するように、巻取り軸２に、巻取り軸２の端部２１まで延びる切欠き２４が形成される。スリット２０の代わりのこの切欠き２４によって、巻取り軸２の内部へフラップ３０を導入することが、簡単になる。
【００２７】
図２ａは、本発明の第２の実施例に基づくロールブラインドのための巻取り軸１０２を図式的に示している。巻取り軸１０２に、６つのスリット２０が形成されており、それらスリットはそれぞれ周方向にアーチ長さＬ＿Ｓで延びている。本発明の他の形態においては、６つより多い、あるいは少ないスリット２０を巻取り軸１０２に形成し、たとえば切り込むことができる。
【００２８】
図２ｂは、図２ａに示す巻取り軸１０２に固定可能な、フレキシブルな面形成物１０３を示している。フレキシブルな面形成物１０３に、６つのフラップ３０、１３０が形成されている。その場合に２つの外側のフラップ３０は、それぞれフレキシブルな面形成物１０３の横方向Ｑの切込み３１によって側方の端縁３３に形成されている。中間の切欠き１３０のために、フレキシブルな面形成物１０３は、横方向Ｑの切込み３１に加えて、終端エッジ３４からフレキシブルな面形成物１０３の長手方向Ｌに切込み１３１を形成されている。フラップ３０、１３０は、フレキシブルな面形成物１０３から折り曲げることが可能である。折り曲げられたフラップ３０、１３０は、図２ａに示す巻取り軸１０２のスリット２０内へ挿入することができるので、フレキシブルな面形成物１０３は巻取り軸１０２とその内部で結合可能である。巻取り軸１０３におけるフレキシブルな面形成物１０３の固定は、接着槽などによって改良することができる。本発明の他の形態においては、縦の切込み１３１は、終端エッジ３４に対して距離をおいて形成される。その場合に横方向の他の切込みによって、同様に、３つのＵ字状に配置された切込みにより、任意の角度で折り曲げ可能なフラップを形成することができる。
【００２９】
図３ａから３ｃは、本発明の第３の実施例に基づくロールブラインド２０１のための巻取り軸２０２とフレキシブルな面形成物２０３を示している。その場合に構成部品は、実質的に図１ａから１ｃに示す構成部品に相当し、同一の部材には統一的な参照符号が使用される。巻取り軸２０２にフレキシブルな面形成物２０３を固定するために、巻取り軸２０２の端部２１、２２に、巻取り軸２０２の軸方向にスリット２２０が形成される。軸方向のスリット２２０または軸溝は、長さＬ＿Ｎを有している。図３ｂにおいて最もよくわかるように、フレキシブルな面形成物２０３の側端縁３３の、巻取り軸２０２に固定すべき終端エッジ３４にフラップ２３０が形成されている。フラップ２３０は、フレキシブルな面形成物２０３の長手方向Ｌの切込み３６によって形成されており、その場合に図示の切込み３６は、フレキシブルな面形成物２０３の終端エッジ３４で終わっている。フラップ２３０は、幅Ｂ＿Ｌと長さＬ＿Ｌを有しており、その場合に幅Ｂ＿Ｌは実質的に図３ａに示す軸方向のスリット２２０の長さＬ＿Ｎに相当する。フラップ２３０は、横方向Ｑに対して平行に延びる折曲げ線３７を中心にフレキシブルな面形成物２０３から折り曲げることができ、その場合に折り曲げられたフラップ２３０は、図３ｃに示すように、スリット２２０へ導入可能であって、フレキシブルな面形成物２０３がロールブラインド２０１を形成するために図３ｃに示すように巻取り軸２０２に固定可能である。導入されたフラップ２３０は、巻取り軸２０２の内部でこの巻取り軸と接着可能、締め付け固定可能あるいは他の方法で巻取り軸と結合することができる。
【００３０】
図４ａから４ｃは、本発明の第４の実施例に基づくロールブラインド３０１のための巻取り軸３０２とフレキシブルな面形成物３０３を図式的に示している。その場合に構成部品は、実質的に図３ａから３ｃに示す構成部品に相当し、同一の部材には、統一的な参照符号が使用される。
【００３１】
図４ａと４ｃに示す巻取り軸３０２において、端部２１、２２にそれぞれ２つのスリット２２０が軸方向に形成されており、その場合に軸方向のスリット２２０は、それぞれ長さＬ＿Ｎを有している。スリット２２０によって、各端部２１、２２にそれぞれ突片２５が形成される。図４ｂと４ｃに示すフレキシブルな面形成物３０３を巻取り軸３０２に固定するために、フレキシブルな面形成物３０３に長さＬ＿Ｌと幅Ｂ＿Ｌを有するフラップ３３０が形成される。フラップ３３０は、長さ方向Ｌに側方の端縁３３に対して平行かつその端縁に対して距離Ｂ＿Ｌを有する切込み３３６によって形成されている。フレキシブルな面形成物３０３を変形させることによって、フラップ３３０を、図３ｂに示す図面平面と一致する、フレキシブルな面形成物３０３の平面から折曲げ線３８を中心に横方向Ｑに対して平行に折り曲げることができる。折り曲げられたフラップ３３０は、巻取り軸３０２にフレキシブルな面形成物３０３を固定するために、図４ｃに示すように、突片２５をくぐらせて軸方向のスリット２２０内へ挿入することができる。その場合に両方の端部に固定するために、たとえばフレキシブルな面形成物の弾性および／または突片２５の変形可能性を利用することができる。他の形態においては、この種の固定は、巻取り軸３０２の端部２１、２２の一方においてだけ設けられる。
【００３２】
図５ａと５ｂは、本発明の第５の実施例に基づくロールブラインド４０１のための巻取り軸４０２と図４ｂに示すフレキシブルな面形成物３０３を示している。この実施例は、図４ａから４ｃに示す実施例に実質的に相当し、かつ同一の部材には統一的な参照符号が使用される。
【００３３】
図５ａと５ｂに明らかなように、巻取り軸２の端部２１、２２に、巻取り軸４０２の軸方向に延びるそれぞれ４つのスリット２２０が長さＬ＿Ｎで形成されている。４つのスリット２２０によって、端部にそれぞれ３つの突片２５が形成される。巻取り軸４０２に、図５ｂに示すように、図４ｂに示すフレキシブルな面形成物３０３を固定することができ、その場合にフラップ３３０は、図５ｂに示すように、巻取り軸４０２の突片２５を縫うように挿通される。巻取り軸４０２の両方の端部２１、２２へのフレキシブルな面形成物３０３の固定を実現するために、同様に面形成物３０３の弾性を利用することができる。本発明の他の形態において、種々の固定方法が互いに組み合わされ、かつ／またはフレキシブルな面形成物が１つの側方端縁においてだけ、巻取り軸に挿通される。
【００３４】
図６ａは、本発明の第６の実施例に基づくロールブラインドのための巻取り軸５０２を示している。図１ａの巻取り軸２に相当する巻取り軸５０２の部材のために、同一の参照符号が使用され、これらの部材の詳細な説明は、省かれる。図示の巻取り軸５０２は、第１の突片５２１を形成する、実質的にＵ字状の切欠き５２０と、他の突片５２５を形成する、実質的にＶ字状の切欠き５２４を有している。図示された切欠き５２０、５２４は、単なる例である。もちろん、２つ以上のＵ字状の切欠き５２０および／または２つ以上のＶ字状の切欠き５２４および／またはその変形を有する巻取り軸も、同様に考えられる。１つのＵ字状またはＶ字状の切欠きのみを有する巻取り軸も考えられるが、より捻れないようにするためには、巻取り軸の軸方向に互いに隔たった２つ以上の切欠きが効果的である。切欠き５２０、５２４は、パイプ状の巻取り軸５０２の端部２１、２２から任意の距離Ａ＿Ｕで、巻取り軸に形成することができる。
【００３５】
図６ｂは、フラップ５３０、５３４を有するフレキシブルな面形成物５０３を示しており、そのフラップによってフレキシブルな面形成物５０３を図６ａに示す巻取り軸５０２に固定することができる。図示の実施例において、第１のフラップ５３０は、横方向Ｑに延びる２つのスリット５３０によって形成される。図６ａに示す巻取り軸５０２の突片５２１は、フレキシブルな面形成物５０３を巻取り５０２に取り付ける場合に、スリット５３１に挿通することができるので、フラップ５３０が切欠き５２０内へ導入される。その場合に突片５２１のエッジは、フレキシブルな面形成物５０３の下になる。従って面形成物を完全に引き出した場合でも、エッジは突出せず、従って傷つける危険および／または傷つく危険が排除される。同様に、切欠き５２０のためのフラップが、１つのスリット５３１のみによって形成され、その場合に突片５２１のエッジがフレキシブルな面形成物の対応する領域の上に来ることも、考えられる。なお、その場合でも、巻取り軸の通常の配置に基づいて、傷つける危険は最小限に抑えられている。この種のフラップ５３４が、図６ａに示す突片５２５との結合について、図６ｂに図式的に示されている。フラップ５３４は、横方向Ｑに１つのスリット５３１のみによって形成される。突片５２５は、フレキシブルな面形成物５０３の上に来るので、フレキシブルな面形成物５０３が図６ａに示す巻取り軸５０２に固定される。もちろん、フレキシブルな面形成物５０３を巻取り軸に逆に固定することも考えられ、その場合に突片５２５は、２つのスリット５３１へ導入される。切欠き５２０、５２４および対応するフラップ５３０、５３１によって、フレキシブルな面形成物５０３は巻取り軸５０２に、１方向に引き出されないように固定される。切欠き５２０、５２４は、他の形態においては、両方向に固定するために逆に配置することができる。
【００３６】
図７は、本発明の第７の実施例に基づくロールブランド６０１のための、巻取り軸６０２とフレキシブルな面形成物６０３の終端領域および軸受ブッシュ６０４を分解して斜視図で示している。巻取り軸６０２は、その端部６２１に、切欠き６２４を有している。フラップ６３０を形成するために、フレキシブルな面形成物６０３の角部が折り返されている。フラップ６３０は、巻取り軸６０２の切欠き６２４内へ導入して、そこでブッシュ６０３に固定することができる。切欠き６２４は、そのために斜めの側面を有しており、その側面の角度は、フラップ６３０を折り曲げるための折曲げ角度と実質的に一致する。
【００３７】
巻取り軸６０２は、溝６２３を有しており、その溝によって軸受ブッシュ６０４は、巻取り軸６０２の端部６２１内へ挿入する際に巻取り軸６０２と相対回動不能に結合することができる。図示の実施例において、切欠き６２４は、周方向に溝６２３に直接連続している。軸受ブッシュ６０４に、ばね６４０と係止突片６４１が形成されており、それが溝６２３ないし切欠き６２４内へ導入される。その場合にばね６４０は、軸受ブッシュ６０４を巻取り軸６０２と相対回動不能に結合するために用いられる。係止突片６４１は、巻取り軸６０２にフレキシブルな面形成物６０３を締め付け固定するために用いられる。
【００３８】
図８は、第８の実施例に基づくロールブラインド７０１のための、巻取り軸７０２とフレキシブルな面形成物７０３の一部および軸受ブッシュ７０４を、分解して斜視図で示している。フレキシブルな面形成物７０３は、長手方向Ｌに延びる切抜き７３１を有しており、切抜き７３１は図示の実施例においては実質的に長手方向Ｌにおける切込みとして形成されており、その場合に切込みの端部が円形に拡幅されていることによって引裂きが防止される。フレキシブルな面形成物７０３は、図４ｂに示す面形成物３０３に実質的に相当する。この面形成物３０３におけるのと同様に、ここでも切抜き７３１とフレキシブルな面形成物７０３の側方の端縁７３３との間で、フラップ７３０が面形成物７０３の平面に対して折り線７３８を中心に折り曲げ可能である。フラップ７３０は、巻取り軸７０２の相補的な切欠き７２４内へ導入することができる。フラップ７３０を切欠き７２４内に固定するために、図８に示す実施例においては、軸受ブッシュ７０４に係止突片７４１が設けられており、その係止突片は、軸受ブッシュ７０４を巻取り軸７０２の端部７２１内へ挿入する場合に、切欠き７２４内へ導入されたフラップ７３０の上へ挿入される。換言すると、係止突片７４１とフレキシブルな面形成物とが互いに「縫い合わされる」。それによってフレキシブルな面形成物７０３が巻取り軸７０２と締め付け固定される。巻取り軸７０２とフレキシブルな面形成物７０３の図示されていない反対側の端部に、同様な切欠き７２４とフラップ７３０を設けることができる。軸受ブッシュ７０４を巻取り軸７０２と相対回動不能に結合するために、巻取り軸７０２に溝７２３が設けられており、軸受ブッシュ７０４にはそれと相補的なばね７４０が設けられている。
【００３９】
なお、矩形の基本形状を有するフレキシブルな面形成物のみが図示されているが、他の形状、たとえば台形なども、考えられる。本発明によれば、この形状においても、適切な切込みによって、フレキシブルな面形成物の基本形状における（付加的な）切りくずを出さずにフラップを形成することが可能である。
【００４０】
さらに、面形成物内にフラップを形成するために、任意の角度で切込みを形成することが考えられ、その場合に付属の巻取り軸が対応する角度のスリットを有する。
【００４１】
切込みは、その切込み端部に、フレキシブルな面形成物が切込みを越えて裂けることを防止する、横スリットを有することができる。
【００４２】
切込みは、平坦な、あるいは同様な面形成物にカッター、はさみなどによって形成することができる。さらに、織ったり編んだりした面形成物に、製造の際にすでに「切込み」を設けることが考えられ、その場合に切込みは、意図されない裂けを防止する、それなりの縁囲いを有することができる。
【図面の簡単な説明】
【００４３】
【図１ａ】本発明の第１の実施例に基づくロールブラインドのための巻取り軸を示す。
【図１ｂ】図１ａに示す巻取り軸のためのフレキシブルな面形成物を示す。
【図１ｃ】図１ａに基づく巻取り軸とそれに取り付けられた、図１ｂに示すフレキシブルな面形成物とを有するロールブラインドを示す。
【図２ａ】本発明の第２の実施例に基づくロールブラインドのための巻取り軸を示す。
【図２ｂ】図２ａに示す巻取り軸のためのフレキシブルな面形成物を示す。
【図３ａ】本発明の第３の実施例に基づくロールブラインドのための巻取り軸を示す。
【図３ｂ】図３ａに示す巻取り軸のためのフレキシブルな面形成物を示す。
【図３ｃ】図３ａに示す巻取り軸とそれに取り付けられた、図３ｂに示すフレキシブルな面形成物とを有するロールブラインドを示す。
【図４ａ】本発明の第４の実施例に基づくロールブラインドのための巻取り軸を示す。
【図４ｂ】図４ａに示す巻取り軸のためのフレキシブルな面形成物を示す。
【図４ｃ】図４ａに示す巻取り軸と、それに取り付けられた、図４ｂに示すフレキシブルな面形成物とを有するロールブランドを示す。
【図５ａ】本発明の第５の実施例に基づくロールブラインドのための巻取り軸を示す。
【図５ｂ】図５ａに示す巻取り軸とそれに取り付けられた、図４ｂに示すフレキシブルな面形成物とを有するロールブランドを示している。
【図６ａ】本発明の第６の実施例に基づくロールブラインドのための巻取り軸を示す。
【図６ｂ】図６ａに示す巻取り軸のためのフレキシブルな面形成物を示す。
【図７】本発明の第７の実施例に基づくロールブラインドのための巻取り軸、フレキシブルな面形成物およびブッシュを分解して示す斜視図である。
【図８】本発明の第８の実施例に基づくロールブラインドのための巻取り軸、フレキシブルな面形成物およびブッシュを分解して示す斜視図である。
【符号の説明】
【００４４】
２、１０２、２０２、３０２、４０２、５０２、６０２、７０２    巻取り軸
３、１０３、２０３、３０３、６０３、７０３    フレキシブルな面形成物
２０、２４、２２０、５２０、５２４、６２４、７２４    切欠き
３０、１３０、３３０、５３０、５３４、６３０、７３０    フラップ
２１、２２、６２１、７２１    端部
６０４、７０４    軸受ブッシュ
３３、６３３、７３３    端縁
３４    終端エッジ
【図１ａ】
2008215067.tif 000003
【図１ｂ】
2008215067.tif 000004
【図１ｃ】
2008215067.tif 000005
【図２ａ】
2008215067.tif 000006
【図２ｂ】
2008215067.tif 000007
【図３ａ】
2008215067.tif 000008
【図３ｂ】
2008215067.tif 000009
【図３ｃ】
2008215067.tif 000010
【図４ａ】
2008215067.tif 000011
【図４ｂ】
2008215067.tif 000012
【図４ｃ】
2008215067.tif 000013
【図５ａ】
2008215067.tif 000014
【図５ｂ】
2008215067.tif 000015
【図６ａ】
2008215067.tif 000016
【図６ｂ】
2008215067.tif 000017
【図７】
2008215067.tif 000018
【図８】
2008215067.tif 000019